(57)【要約】  精密なプログラムに基づき稼働する高価なロボットを用いずに、様々なセンサー機能により商品を認識し特定し、最も適した方法で物品を安全に把持し、素早く移載することが可能な物品探りあて把持機能を提供する。本発明に係る物品探りあて把持装置は、物品を感知するセンサーと物品を把持する機構と前記センサーと前記把持機構を有する物品把持移載機構と、前記センサーの物品感知情報と前記把持機構と前記物品把持移載機構を制御する制御機構とを具備して構成される。
2018105121.tif 000002
【特許請求の範囲】
【請求項１】
物品を感知するセンサーと
物品を把持する機構と
前記センサーと前記把持機構を有する物品把持移載機構と
前記センサーの物品感知情報と前記把持機構と前記物品把持移載機構を制御する制御機構と
を具備する物品探りあて把持装置。
【請求項２】
前記センサーによって物品の位置を認識した物品情報を受け、前記制御機構が前記把持機構及び前記物品把持移載機構を制御することによって物品を把持することに特徴を有する請求項１に記載の物品探りあて把持装置。
【請求項３】
前記センサーが、負圧センサー及び／若しくはレーザセンサー及び／若しくは紫外線センサー及び／若しくは赤外線センサー及び／若しくは可視光センサー及び／若しくはマイクロ波センサー及び／若しくは超音波センサーであることに特徴を有する請求項２に記載の物品探りあて把持装置。
【請求項４】
前記センサーが、リミットスイッチ及び／若しくは温度センサー（サーミスタ）及び／若しくは導電プローブ及び／若しくは光電管及び／若しくは感圧センサー及び若しくは磁気センサーであることに特徴を有する請求項２に記載の物品探りあて把持装置。
【請求項５】
前記把持機構が、真空吸引吸着機構及び／若しくは静電吸着パッド機構及び／若しくは電磁石機構及び／若しくはピックハンド機構であることに特徴を有する請求項２乃至４のいずれか１項に記載の物品探りあて把持装置。
【請求項６】
前記把持機構が、前記センサーからの物品情報を受けた前記制御機構のプログラムに従い、物品を探りあてる動作をすることに特徴を有する請求項１乃至５のいずれか１項に記載の物品探りあて把持装置。
【発明の詳細な説明】
【技術分野】
【０００１】
本発明は、対象物を認識し把持し移載するための物品把持装置に関する。特に、物流集配拠点での多品種商品の配送箱等の詰め替え移載における自動物品移載のロボットアームの物品把持装置に関する。【０００２】
商品物流拠点においては、大量に入荷される多品種商品を仕向け先別に仕分け包装するための商品の出荷容器への移載作業を、ロボット等を利用して行っている。この場合、他種多様な形状を有する商品の中から指定商品のみを特定し、認識し、ロボットアームを操作して商品を把持（ピックアップ）するが、このためにはカメラ画像認識装置等を用いて商品箱内を画像撮影し、特定商品のみを認識し、その商品の外形等のデータに応じてロボットアームが指定位置に移動して指定商品を把持し、その後出荷容器に移動して商品を配置（移載）する。【０００３】
しかしこの作業は、商品を画像認識により特定し且つ形状の確認を要することから、アームによる商品外形に応じた保持動作など非常に綿密なプログラムによるロボット操作が必要となり、できる限り早く効率的に大量の商品を移載することを要求される物流拠点においては、作業が遅すぎる上に、綿密なプログラム制御により高価なロボットなどを必要とする等、経済的な負荷が大きく、現実的な効率化作業には至っていない。【０００４】
実際のロボットアームによる商品保持においては、真空吸引パッドを商品にあてがい真空吸着によって商品を把持する手法が主技術となっているが、一様に平面をもつ物品に対しては真空吸引パッドによる吸着は対応できるが、多種多様な外観形状を有する商品を逐次吸着把持する機能を発揮する技術には至っていない。【０００５】
たとえば、特許文献１では、ロボット等を用いた物品把持の自動化システムにおいて、人の目に替わるビジョンシステムを用いて、動作毎にワーク把持位置を計算して吸着ヘッドを用いた吸引吸着による物品把持の技術思想が開示されている。しかし、この例では、物品を吸着による手法のみで把持する技術思想であるため、様々な形状である物品を認識して把持する技術には至っていない。様々な形状である物品を探りながら認識し、且つ最も把持し易い方法を選択して行う物品把持には適合できていない。【０００６】
またその他の従来技術では、ロボット等を用いた物品把持の自動化システムにおいて、人の目に代わるビジョンシステムを用いて、動作毎にワーク把持位置を計算してロボットに移動指示を出している。この方式では、ロボットシステムを用いてワークを把持する際に、ケース及びワークの位置情報を測定しロボットに動作指示しなければならない。この処理時間は各動作に必ず含まれる数字であり、サイクルタイムの拡大につながる。また、一般的なビジョンシステムは、カメラ、照明機器、コントローラにて構成され、システムの複雑化とコスト高につながっている。
【先行技術文献】
【特許文献】
【０００７】
【特許文献１】特開２０１３−１６９６４０号公報
【発明の概要】
【発明が解決しようとする課題】
【０００８】
精密なプログラムに基づき稼働する高価なロボットを用いずに、様々なセンサー機能により商品を認識し特定し、最も適した方法で物品を安全に把持し、素早く移載することが可能な探りあて物品把持機能を提供することが本発明の課題である。【０００９】
かかる課題を解決するため、本発明に係る物品探りあて把持装置は、
物品を感知するセンサーと
物品を把持する機構と
上記センサーと上記把持機構を有する物品把持移載機構と
上記センサーの物品感知情報と上記把持機構と上記物品把持移載機構を制御する制御機構と
を具備して構成される。【００１０】
また本発明に係る物品探りあて把持装置は、上記感知センサーによって位置を認識した物品情報を受け、上記制御機構が上記把持機構及び上記物品把持移載機構を制御することによって物品を探りあてて把持することに特徴を有する。【００１１】
一般的に、物品把持作業において物品を認識する手法は主に画像認識によるものがほとんどであり、画像によって認識した物品に対して次にどの順番でどのように物品を把持し移載するかは予めアルゴリズムが組まれておりその指示通りにプログラムが成されて機械操作に繋がっている。【００１２】
本発明に係る本発明に係る物品探りあて把持装置は、上記感知センサーが、負圧（エアー圧）センサー及び／若しくはレーザセンサー及び／若しくは紫外線センサー及び／若しくは赤外線センサー及び／若しくは可視光センサー及び／若しくはマイクロ波センサー及び／若しくは超音波センサーであること、及び／又は上記感知センサーが、リミットスイッチ及び／若しくは温度センサー（サーミスタ）及び／若しくは導電プローブ及び／若しくは光電管及び／若しくは感圧センサー及び若しくは磁気センサーであることに特徴を有する。【００１３】
これらの物品感知センサーは、上記把持機構に略均一又はランダムに複数設置されており、把持機構の動きに従い物品に近接しつつ物品の存在を感知することができる。感知センサーの設置方向は限定されず、把持機構の表面全域に対して設置されていてもよい。それぞれの感知センサーは特有の感知機能を有することは周知の通りである。また画像認識を併設することを除外するものではない。【００１４】
物品をどのような方法で認識するかは、たくさんの方法が既に周知技術及び慣用技術として知られている。例えば、吸引エアー負圧、光（紫外、可視、赤外）、電磁波、接触、電気、音波、温度等様々な手法を用いた認識技術がある。これらの選択には、感知するセンサーの仕組みとしての用途と、実際に認識される物品の感知される物性との両方を考慮する必要がある。【００１５】
例えば、物品の温度を他の温度との比較において感知して認識する場合、感知センサー（サーミスタ）としては導電性に対する電気抵抗の差を電気感知することによって温度差として物品を認識する。超音波認識においては、物品に超音波を照射しその返信音波を捉えることによって物品の存在を感知する。感知レベルによっては物品の大きさや形状までも認識することができる。【００１６】
バキュウムは把持するための吸着手法であって、物品の感知認識には関与しないが、バキュウムによって吸着された物品の重量等を検知することによって物品を感知して認識する手段としても用いることができる。またバキュウムでのエアー負圧の変化は検知センサーとしても機能する。【００１７】
本発明に係る物品探りあて把持装置は、上記把持機構が、上記感知センサーからの物品情報を受けた上記制御機構のプログラムに従い、物品を探りあてる動作をすることに特徴を有する。【００１８】
物品を探りあてる動作とは、物品がランダムに納められた容器の中に近接しつつ、例えば内部を右回りに外郭から中心に向けて略回転するように動く動作であり、例えば内部を中心から外側へと左回りに円弧を描きながら回転するように動く動作であり、徐々に物品に近接していく。この動作を上記把持機構が行うことによって把持機構に設置された物品感知センサーは逐次物品を感知し情報を制御部に伝達する。【００１９】
本発明に係る物品探りあて把持装置は、上記伝達情報によって次に物品把持移載機構が行う動作を決定する。これらの動作は予め決定されたアルゴリズムに従いプログラムされている制御機構の指示によって行われる。どの時点でどの物品を把持する動作に移行するかは、物品把持の容易さ又は物品との接近距離あるいは限定された物品であるか否かなどの判断アルゴリズムに基づき決定されればよい。【００２０】
本発明に係る物品探りあて把持装置は、上記把持機構が、真空吸引吸着機構及び／若しくは静電吸着パッド機構及び／若しくは電磁石機構及び／若しくはピックハンド機構（図７における２８）であることに特徴を有する。【００２１】
物品を把持する方法は、吸着パッドによる吸引吸着把持をはじめ、静電気吸着パッドを用いた静電気吸引吸着把持、電磁石を用いた磁力吸着把持、ピックハンドのように物品を挟み掴み取る動作をするものなどがある。これらの把持機構の詳細部品は感知センサーと同様に把持機構の略全表面に設置することが可能である。本発明は物品把持移載機構の詳細である把持機構を限定するものではない。【００２２】
本発明に係る物品探りあて把持装置は、感知センサーからの物品感知情報に基づき制御機構が指示する情報に従い把持機構が物品を把持移載する。把持機構は把持される物品の態様に従い選択される。例えば、把持機構の基材が可撓性を有する部材であれば、吸着パッドが不定形状の物品を包み込むように外側から囲い吸引吸着して把持することができる。【００２３】
本発明に係る物品探りあて把持装置は、物品の特性により選択された物品のみを選択把持することもできる。例えば磁性を帯びた物品を感知したときは磁力吸着把持を行えばよい。例えば冷凍物品だけを把持する場合はサーミスタセンサーを用いて物品を選択すればよい。例えば、袋状のエアーパッキング物品を把持移載するときは吸引吸着又はピックハンドを用いて把持すればよい。【００２４】
本発明に係る物品探りあて把持装置は、把持機構に設置する感知センサー及び把持機構詳細を限定する物ではなく、複数種類のセンサー及び複数方法の把持機構詳細である物品把持機構が同一の把持機構に設置されていてもよい。各々の部品が縮小化されればされるほど把持能力は向上する。物品の種類に応じた専用把持機構を限定して選択するか又は物品の種類に応じた把持機能をひとつの把持機構に複数包含させるかは自在である。【００２５】
本発明に係る物品探りあて把持装置は、まさに人間の手が容器の中に入り、物品を探りあて、つかみ取り出す動作に近似させる機能を有する把持移載作業を行うための技術思想であり、そのための感知センサー機構と把持機構とを制御機構がコントールするものである。
【発明の効果】
【００２６】
本発明によれば、様々な物品（商品）を選択して早く効率的に把持移載することができる。また、物品の大きさ、重さ、外形、表面状態などの性質に制約されずに把持移載することができる。本発明によれば物流拠点での多品種物品の選別移載の安全性と作業性を格段に向上させつつ、経済効率も格段に向上させることの可能な物品探りあて把持装置が実現される。
【図面の簡単な説明】
【００２７】
【図１】本発明の一実施形態に係る物品探りあて把持装置の概要を示す概念図である。
【図１Ａ】本発明の一実施形態に係る物品探りあて把持装置のバキュウム吸引センサーを用いた検知概要を示す概念図である。
【図２】本発明の一実施形態に係る物品探りあて把持装置の光学的センサーを用いた検知概要を示す概念図である。
【図３】本発明の一実施形態に係る物品探りあて把持装置の接触スイッチを用いた検知概要を示す概念図である。
【図４】本発明の一実施形態に係る物品探りあて把持装置のサーミスタを用いた検知概要を示す概念図である。
【図５】本発明の一実施形態に係る物品探りあて把持装置の静電吸着盤を用いた吸着概要を示す概念図である。
【図６】本発明の一実施形態に係る物品探りあて把持装置の電磁石を用いた把持概要を示す概念図である。
【図７】本発明の一実施形態に係る物品探りあて把持装置のピックハンドを用いた把持概要を示す概念図である。
【図８】本発明の一実施形態に係る物品探りあて把持装置の物品検知機能を投受光式光電管にした場合の概念図である。
【発明を実施するための形態】
【００２８】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００２９】
図１は、本発明の一実施形態に係る物品探りあて把持装置の概要を示す概念図である。同図に示すように、本発明の一実施形態に係る物品探りあて把持装置は、ロボット機構のアーム１０と把持機構１１から構成される。図１においてはアーム１０の先端部のみが示されており、ロボットシステム等に連接したアーム１０は回転駆動機構１２を経由して把持機構１１と連接している。回転駆動機構１２は回転駆動することにより把持機構１１を自在な方向に向けることができる。アーム１０はＸ、Ｙ、Ｚ軸の三次元方向に移動が可能なシステムとなっている。
【００３０】
図１に示すように、本発明の一実施形態に係る物品探りあて把持装置の把持機構１１の物品（商品）把持面である下面方向には、例えば物品の表面を真空吸着して把持するための吸着パッド１３が略均等に配列設置されている。吸着パッドの間隙には略均等に配列した光学的センサー１４が設置されている。
【００３１】
図１に示す光学的センサー１４は、その先端より可視光又は紫外線、赤外線などを照射して物品を感知するセンサー機能を有している。照射した光の反射光の減衰率、周波数又は光線の遮断等を検知することによって物品を感知するセンサー感知方法は多種類の光電管のように数多の周知技術がある。
【００３２】
図１に示すように、例えば多数の光学的センサー１４によって存在を感知された物品（商品）１５は、本発明の一実施形態に係る物品探りあて把持装置の制御機構によってその形状が認識され、アーム１０及び把持機構１１が動作して吸着パッド１３によって吸着把持される。複数の吸着パッド１３は、例えば内部にエアー吸引機構を備えており、物品形状に応じて真空吸引して物品１５の表面を吸着して把持する。物品に接触していない吸引パッド１３は吸引操作をストップ開放すればよい。
【００３３】
図１に示すように、本発明の一実施形態に係る物品探りあて把持装置の特徴は上記のように光学的センサー１４の機能を活用して把持すべき物品を自在に認識できることにある。つまりアーム１０及び回転駆動機構１２の駆動に従い光学的センサー１４が物品を感知する探りあて機能を有することにある。例えば異なる物品が多数あった場合にも、アーム１０及び回転駆動機構１２の動きに従い把持機構１１の光学的センサー１４は異なる多数の物品を前方に感知することができる。その情報は全て本発明の一実施形態に係る物品探りあて把持装置の制御機構に伝達把握され、そして、どの位置にあるどの物品を吸着把持するかを決定付けられる。そして機能に従いその物品を吸着把持する。把持された物品は例えば出荷箱の中に移動載置されることになる（この感知、把持、移動、載置の一連の作業を把持移載作業と称する）。
【００３４】
図１Ａは、本発明の一実施形態に係る物品探りあて把持装置のバキュウム吸引センサーを用いた検知概要を示す概念図である。同図の破線部内はバキュウム吸引センサー２を用いた物品検知及び把持の機構を示している。エアー１で吸引された吸着パッド１３に接触した物品（商品）１５は、把持機構１１によってバキュウム吸着把持される。このときセンサーとして働くバキュウム吸引センサー２は、物品１５の把持によって発生する減圧を感知（検知）する。同時に重量等を検知してもよい。これらの情報は制御機構１９に送られる。そして制御機構１９の指示に従い物品吸着がされていない吸着パッド１３のエアー吸引を止め、物品把持移載機構のアーム１０が働き、物品を移動し載置する。
【００３５】
図２は、本発明の一実施形態に係る物品探りあて把持機構の光学的センサーを用いた検知概要を示す概念図である。図２は概念図である図１の内部を含めた機能の概念を表している。同図に示すように、把持機構１１には光学的センサー１４（図中では光電管１４Ａ）が略均等に配列されており、その間隙に吸着パッド１３が略均等に設置されている。図１によって説明したように光学的センサー１４で感知した物品は吸着パッド１３によって真空吸着される。真空脱気システム１７はエアー配管１６を通じて行われる。
【００３６】
同図に示すように、把持機構１１には例えば光電管１４Ａが複数設置されていて光電管１４Ａの間隙には吸着パッド１３を複数備えている。光電管１４Ａは下部にある物品に対して検出光を発信し物品の存在を感知検出するセンサー機能を備えている。
【００３７】
図１に示すように、光電管は均等に分散配置されているため、感知した物品の全体形状を認識することができる。認識した物品の情報は制御機構１９に送信され制御機構１９の指示に従い吸着パッド１３が物品を吸着把持する。吸着パッド１３も光電管１４Ａと同様に均等分散配置されているため、複数の吸着パッド１３による吸着把持は制御機構１９から指示する吸着パッドのみが動作する仕様であってよい。もちろん吸着において物品の接触しない部分は吸着動作に関与しないのだから問題はない。
【００３８】
物品の存在を認識する手段は光電管によるものに限定はしない。例えば、レーザー光を照射してその反射を捉えてもよいし、赤外線、紫外線、マイクロ波を照射してその反射を検知してもよい。光学的との定義の問題ではないが、音波例えば超音波センサーであっても同様である。つまり光学的センサーと称する部類のセンサーが対応可能であることを意味する。構造としては前記の光電管による物品感知と同様である。本発明の一実施形態に係る物品探りあて把持装置は、このような様々な光学的センサーを任意に配設することができることに特徴を有する。
【００３９】
図２に示す制御機構１９は、本発明の一実施形態に係る物品探りあて把持装置の動きを制御するのみではなく、あらゆる物品を探りあて把持移載するためのアルゴリズムが予めプログラミングされており、本発明の一実施形態に係る探りあてピッキング移載装置の具体的な動作はその中から抽出された一つの動作にすぎない。
【００４０】
図３は、本発明の一実施形態に係る物品探りあて把持装置の接触スイッチを用いた検知概要を示す概念図である。同図に示すように、本発明の一実施形態に係る物品探りあて把持装置の把持機構１１の内部には光センサーではなく接触スイッチ２０を用いている。接触スイッチ２０の代表的なものにはリミットスイッチ２１などがある。図３の破線内にリミットスイッチ２１の概念図を示す。プランジャ２２の接触により物品を電気的に感知する機能を有する。
【００４１】
同図に示すように、本発明の一実施形態に係る物品探りあて把持装置は、図１の場合の光電管等の光学的センサーに換えて接触スイッチ２０を用いた物品認識機構を用いることもできる。接触式センサーの代表的なものがリミットスイッチ２１である。把持機構１１に均等分散設置されたリミットスイッチ２１は、物品との接触によってそのプランジャ２２を押し上げて接触感知機能を発揮する。
【００４２】
リミットスイッチ２１は、把持機構１１の下方移動に従い順次物品の表面に接触することになる。つまり接触プランジャ２２の感知情報はそのまま制御機構１９に連動することによって、物品の形状が認識される。制御機構１９は物品形状情報を解析し、最も適した吸着パッド１３を用いて物品を把持すればよいことになる。リミットスイッチ２１、吸着パッド１３は把持機構１１と共に物品吸着把持のために適した移動動作を行うことができる。ここでリミットスイッチ２０の設置される方向は図３のように下方向に限定する必要はない。リミットスイッチ２０の向く方向は任意に設定することができることを追記する。これらの方向は把持機構が探りあて機能に基づいて動作する方向に有効に設定されていればよい。
【００４３】
図４は、本発明の一実施形態に係る物品探りあて把持装置のサーミスタを用いた検知概要を示す概念図である。同図に示すように、物品を検知するセンサー機構は、サーミスタ（温度検知センサー）２３によって構成されている。サーミスタ２３は物品との接触により温度差を検知して物品を認識することができる。図２及び図３と同様に物品を感知することには変わりはない。しかしサーミスタ２３で最も特徴的なことは、感知される物品の特性にある。
【００４４】
サーミスタ２３は物品との接触と同時に物品の形状を認識することになるが、サーミスタ２３に一定の検知温度を付与限定することによって様々な物品の中から必要な物品を選択する機能を持つことができる。つまり多数の物品の中から例えば冷凍物のみを探りあて認識しピッキングしたい場合等に有効となる。本発明の一実施形態に係る物品探りあて把持装置のサーミスタ２３を用いた感知機能は、物品を選択選別して把持することができる。
【００４５】
一定の温度感知を制御機構１９から指示されたサーミスタ２３は一定の温度を有する物品のみを接触感知し、その物品情報を基に制御機構１9は吸着パッド１３を操作して物品を把持し、移載することになる。
【００４６】
図５は、本発明の一実施形態に係る物品探りあて把持装置の静電吸着盤を用いた吸着概要を示す概念図である。同図に示すように、上記までの吸着パッド１３の仕様を静電吸着盤２４に換えたものである。例えば静電吸着盤２４は表面が可撓性部材であれば物品との接触時に、静電引力による吸着力も機能し且つ物品表面を覆うように多面積にて接触し、エアー吸引に換えて柔らかく柔軟に物品を把持する機能を有する。
【００４７】
図６は、本発明の一実施形態に係る物品探りあて把持装置の電磁石を用いた把持概要を示す概念図である。同図に示すように、物品を感知するセンサー機能には電極を先端に有する導電プローブ２５を用いている。また吸着把持する仕様は吸着パッド１３に換えて電磁石２６である。破線内は導電ブローブ２５の機能概要を示している。先端のブローブに物品が接触することにより電気的に物品を感知する。
【００４８】
例えば把持移載される物品が磁性体仕様であれば、導電プローブ２５の物品接触感知と同時に例えば導電プローブ２５から一定電流を通じることにより、磁性体物品の磁性を喚起することができる。磁性体は電磁石２６である把持盤によって磁力吸着把持される。
【００４９】
本発明の一実施形態に係る物品探りあて把持装置の電磁石２６を用いた把持仕様であれば、図４におけるサーミスタ検知同様に、磁性体物品のみを選択感知し、把持移載することができる。つまり、本発明の一実施形態に係る探りあてピッキング移載装置は、センサー機能を自在に活用して物品の探りあて、物品の特性に応じて選別把持移載することを可能にする。
【００５０】
図７は、本発明の一実施形態に係る物品探りあて把持装置のピックハンドを用いた把持機構概要を示す概念図である。同図に示すように、物品把持機構を吸着パッドに換えてピックハンド２８を用いている。ピックハンド２８は、その先端に複数の把持爪２９を有し、把持爪２９の開閉によって物品の表面を挟み込み把持する機能を有する。表面が軟質の物品や、布製物品、袋状物品などの把持に機能を発揮する。
【００５１】
図７に示すように、例えばリミットスイッチ２０のプランジャ２２（図３破線部に示す。）で物品を感知し、且つ物品の外形状などの情報と共に軟質物品又は布製物品、袋状物品であることの感知情報も入手することができることにより、物品把持機構をピックハンド２８として選択することもできる。多数均等に配列されたピックハンド２８は、軟質物品、布製物品、不定形物品などを有効に把持移載することに機能を発揮する。
【００５２】
図８は、本発明の一実施形態に係る物品探りあて把持装置の物品検知機能を投受光式光電管にした場合の概念図である。同図の破線部に示すように、投受光式光電管３０はその先端部が二つに分割されており片方が投光器３２、もう一方が受光器３１によって構成されており、その間隙を走る光３３の減衰を感知する。物品表面が投受光式光電管３０によって感知されることによって、上記と同様に物品認識情報を基に図７と同様にピックハンド２８によって物品を把持ピッキングすることができる。
【００５３】
以上のように、本発明の一実施形態に係る物品探りあて把持装置は、把持機構１１に敷設されたセンサー機構によって物品を探りあて感知し、そのセンサー機能によって把握できる情報を全て制御機構に送付し制御機構が予めプログラミングされたアルゴリズムに従い物品を把持するための指示情報を物品把持機構に送り、把持機構１１は物品をその最適機能に基づいて把持移載する。
【００５４】
これらのセンサー機構、物品把持移載機構は、上記のように様々なセンサーが利用でき、また把持機構も上記のような様々な種類の把持機構が利用できる。たとえセンサー機構、把持機構がセンサー技術として周知技術であっても、本発明の一実施形態に係る物品探りあて把持装置は、把持機構にこれらの機構を位置・方向・数・配列等を任意に併設させることにより、制御機構の最適把持指示に従い把持される物品仕様に対応した最適把持移載を成すことができる。そしてセンサー機構の機能によっては物品の選択把持移載をすることもできる。
【００５５】
本発明の一実施形態に係る物品探りあて把持装置の把持機構１１の形状は上記図によって説明した平面形状に限定する物ではない。把持機構として略円形、楕円形、略球面形や場合によっては不定形として任意形状とすることも包含する技術思想である。また把持機構に限らずセンサー機構及び把持移載機構の材質も可撓性物質等を選択することができる。センサー機構及び物品把持移載機構の把持機構における敷設配列も方向も任意に設定することができる。
【００５６】
これらの任意配置、方向、材質は、把持移載される物品の仕様に対応して選択されるべきものであり、その選択性を可能とした組み合せ仕様こそが本発明の技術思想である。最も検知、把持移載し易い方法で把持移載作業することができることが、把持移載作業の最高効率を生み出し、経済的にも最も高率的な把持移載機構となることは言うまでもない。それを可能にするのが本発明に係る物品探りあて把持装置である。
【００５７】
また、本発明は上述した実施形態に限定されるものではなく、本発明の主旨を逸脱しない範囲内で種々変更して実施することが可能である。そして、上記説明でのセンサー機構及び把持機構の個別部品仕様の違いを本発明の技術範囲外に許容するものではなく、本発明の技術思想内として包含するものである。つまりこれらはすべて、本技術思想の一部である。
【産業上の利用可能性】
【００５８】
本発明によれば、様々な物品（商品）を選択して早く効率的に把持移載することできる。また、物品の大きさ、重さ、外形、表面状態など態様に制約されずに把持移載することができる。物流拠点での多種多様物品の選別移載の安全性と作業性を格段に向上させつつ、経済効率も格段に向上させることの可能な物品探りあて把持装置が実現される。【００５９】
よって本願は、物流業界での商品選別把持移載に限定されず、製造業を含めたあらゆる産業に対して大きな有益性をもたらすものである。
【符号の説明】
【００６０】
１  エアー
２  バキュウム吸引センサー
１０  アーム
１１  把持機構
１２  回転駆動機構
１３  吸着パッド
１４  光学的センサー
１４Ａ  光電管
１５  物品（商品）
１６  エアー配管
１７  真空吸引
１８  光線
１９  制御機構
２０  接触スイッチ
２１  リミットスイッチ
２２  プランジャ
２３  サーミスタ
２４  静電吸着パッド
２５  導電プローブ
２６  電磁石
２７  導電プローブ概要
２８  ピックハンド
２９  把持爪
３０  投受光式光電管
３１  受光器
３２  投光器
３３  光軸
【図１】
2018105121.tif 000003
【図１Ａ】
2018105121.tif 000004
【図２】
2018105121.tif 000005
【図３】
2018105121.tif 000006
【図４】
2018105121.tif 000007
【図５】
2018105121.tif 000008
【図６】
2018105121.tif 000009
【図７】
2018105121.tif 000010
【図８】
2018105121.tif 000011
【国際調査報告】
2018105121.tif 000012
2018105121.tif 000013
2018105121.tif 000014
2018105121.tif 000015